(57)【要約】【課題】エアフィルタの交換時の操作性を向上できるプロジェクタを提供する。【解決手段】プロジェクタを構成するフィルタカバー６は、外装筐体における一の側壁部と一の側壁部に交差する他の側壁部とに跨るように構成され、外装筐体に対してエアフィルタを保護するための保護位置、およびエアフィルタを交換するための交換位置に回動自在に軸支されている。外装筐体には、フィルタカバー６の回動方向に交差する方向に延びる係合受け部が設けられている。フィルタカバー６には、係合受け部に係合してフィルタカバー６の交換位置への回動を規制する係合突起部７３を有し、外部から操作されることで係合突起部７３が係合受け部に係合する係合位置、および非係合位置に移動する操作レバー７が取り付けられている。【選択図】図９
2010122280.tif 000002
【特許請求の範囲】
【請求項１】
吸気孔が形成された外装筐体と、前記吸気孔を介して導入された空気に含まれる塵埃を捕捉するエアフィルタと、前記外装筐体に取り付けられ前記エアフィルタを保護するフィルタカバーとを備えたプロジェクタであって、
前記フィルタカバーは、
前記外装筐体における一の側壁部と前記一の側壁部に交差する他の側壁部とに跨るように構成され、前記外装筐体に対して前記エアフィルタを保護するための保護位置、および前記エアフィルタを交換するための交換位置に回動自在に軸支され、
前記外装筐体および前記フィルタカバーのいずれか一方の部材には、
前記フィルタカバーの回動方向に交差して延びる係合受け部が設けられ、
前記外装筐体および前記フィルタカバーのいずれか他方の部材には、
前記係合受け部に係合して前記フィルタカバーの前記交換位置への回動を規制する係合突起部を有し、外部から操作されることで前記係合突起部が前記係合受け部に係合する係合位置、および非係合位置に移動する操作レバーが取り付けられている
ことを特徴とするプロジェクタ。
【請求項２】
請求項１に記載のプロジェクタにおいて、
前記他方の部材には、
前記操作レバーを前記係合位置に向けて付勢する付勢部材が設けられ、
前記係合突起部には、
前記一方の部材に対向し、前記係合位置側から前記非係合位置側に向うにしたがって前記一方の部材に近接する傾斜面が形成され、
前記係合受け部には、
前記フィルタカバーが前記保護位置に向けて回動する際に前記傾斜面に当接する当接部が設けられている
ことを特徴とするプロジェクタ。
【請求項３】
請求項１に記載のプロジェクタにおいて、
前記他方の部材には、
前記操作レバーを前記係合位置に向けて付勢する付勢部材が設けられ、
前記操作レバーおよび前記他方の部材には、
前記フィルタカバーの回動方向に沿って延出し前記操作レバーが前記非係合位置に位置付けられた際に互いに係合する第１係止爪および第２係止爪を有し、前記操作レバーの前記係合位置への移動を係止する係止構造が設けられ、
前記一方の部材には、
前記他方の部材に向けて突出し、前記フィルタカバーが前記保護位置に向けて回動する際に前記係止構造に当接して前記第１係止爪および前記第２係止爪の係合を解除する係合解除爪が設けられている
ことを特徴とするプロジェクタ。
【請求項４】
請求項１から請求項３のいずれかに記載のプロジェクタにおいて、
前記フィルタカバーは、
カバー本体と、
前記外装筐体に軸支される回動軸、および前記回動軸から直交して延出し先端が前記カバー本体に接続する接続部を有する軸支部とを備え、
前記外装筐体には、
前記フィルタカバーが前記保護位置に位置付けられている際に前記接続部の少なくとも一部が挿通される規制溝部が設けられている
ことを特徴とするプロジェクタ。
【請求項５】
請求項１から請求項４のいずれかに記載のプロジェクタにおいて、
前記一方の部材には、
前記フィルタカバーの回動方向に沿って延びる第２の係合受け部が設けられ、
前記操作レバーには、
前記係合位置に位置付けられた際に前記第２の係合受け部に係合して前記フィルタカバーの回動方向に直交する方向への移動を規制する第２の係合突起部が設けられている
ことを特徴とするプロジェクタ。
【発明の詳細な説明】
【技術分野】
【０００１】
本発明は、プロジェクタに関する。
【背景技術】
【０００２】
従来、プロジェクタにおいて、内部の冷却対象（光源装置や、液晶パネル等の光変調装置）を冷却するために、外装筐体に形成した吸気孔を介して外装筐体外部の空気を導入し、導入した空気を冷却対象に送風する構成が知られている（例えば、特許文献１参照）。
特許文献１に記載のプロジェクタでは、外装筐体の底面に吸気孔を形成している。また、空気とともに塵埃が導入されることを防止するために、吸気孔の周縁部分に凹部を設け、空気に含まれる塵埃を捕捉するエアフィルタを凹部に収納している。さらに、エアフィルタの保護、および交換を可能とするために、凹部の開口面に係止により着脱自在とする交換蓋を取り付けている。
【０００３】
具体的に、交換蓋における互いに対向する端縁には、凹部の開口面に形成された一対の係合部に挿入される一対の係止片と、利用者により操作される係止つまみ片とが形成されている。
利用者は、交換蓋を凹部の開口面に取り付ける際には、交換蓋における一対の係止片側を下方に傾けた状態で一対の係止片を一対の係合部に挿入する。そして、利用者は、係止つまみ片を指で押圧し係止つまみ片を撓ませた状態で、交換蓋の係止つまみ片側を凹部に挿入した後、係止つまみ片への押圧を解除して係止つまみ片を外装筐体の表面に係止させる。
また、利用者は、交換蓋を凹部の開口面から取り外す際には、上記と逆の操作を実施する。
【０００４】
【特許文献１】特開２００４−１０９７８１号公報
【発明の開示】
【発明が解決しようとする課題】
【０００５】
しかしながら、特許文献１に記載のプロジェクタでは、利用者は、エアフィルタを交換する際、先ず、外装筐体から交換蓋を取り外し、エアフィルタを交換した後、再度、外装筐体に交換蓋を取り付ける必要がある。このため、エアフィルタの交換時の操作が煩雑なものとなりやすい、という問題がある。
特に、プロジェクタの外観を考慮した場合には、係止つまみ片を大きくすることができない。このため、利用者は、交換蓋の着脱時に、比較的に小さい係止つまみ片を操作する必要があり、交換蓋の着脱操作が難しいものとなる。
また、交換蓋が平坦状に構成されているため、利用者は、外装筐体から交換蓋を取り外す際、比較的に小さい係止つまみ片しか操作することができず、交換蓋の取り外し時の操作が難しいものとなる。
【０００６】
本発明の目的は、エアフィルタの交換時の操作性を向上できるプロジェクタを提供することにある。
【課題を解決するための手段】
【０００７】
本発明のプロジェクタは、吸気孔が形成された外装筐体と、前記吸気孔を介して導入された空気に含まれる塵埃を捕捉するエアフィルタと、前記外装筐体に取り付けられ前記エアフィルタを保護するフィルタカバーとを備えたプロジェクタであって、前記フィルタカバーは、前記外装筐体における一の側壁部と前記一の側壁部に交差する他の側壁部とに跨るように構成され、前記外装筐体に対して前記エアフィルタを保護するための保護位置、および前記エアフィルタを交換するための交換位置に回動自在に軸支され、前記外装筐体および前記フィルタカバーのいずれか一方の部材には、前記フィルタカバーの回動方向に交差して延びる係合受け部が設けられ、前記外装筐体および前記フィルタカバーのいずれか他方の部材には、前記係合受け部に係合して前記フィルタカバーへの前記交換位置への回動を規制する係合突起部を有し、外部から操作されることで前記係合突起部が前記係合受け部に係合する係合位置、および非係合位置に移動する操作レバーが取り付けられていることを特徴とする。
ここで、操作レバーとしては、外装筐体に取り付けられていてもよく、あるいは、フィルタカバーに取り付けられていてもよい。係合受け部についても同様である。
なお、以下では、説明を簡略化するために、操作レバーがフィルタカバー（他方の部材）に取り付けられ、係合受け部が外装筐体（一方の部材）に設けられているものとして説明する。
【０００８】
本発明では、プロジェクタは、外装筐体に対して保護位置および交換位置に回動自在に軸支されたフィルタカバーを備える。このことにより、利用者は、エアフィルタを交換する際、外装筐体からフィルタカバーを着脱する必要がなく、フィルタカバーを回動させるだけでよいため、エアフィルタの交換時の操作性を向上できる。
特に、本発明では、フィルタカバーには外装筐体に設けられた係合受け部に係合する係合位置、および係合受け部との係合が解除された非係合位置に移動する操作レバーが取り付けられているとともに、フィルタカバーが外装筐体における一の側壁部および他の側壁部に跨るように構成されている。このことにより、利用者は、例えば、フィルタカバーを保護位置から交換位置に回動させる際には、操作レバーを操作して非係合位置に位置付けることで係合突起部と係合受け部との係合を解除し、フィルタカバーを手で掴みながら、フィルタカバーを回動させることができる。フィルタカバーを交換位置から保護位置に回動させる際も同様である。このため、フィルタカバーの回動操作を容易とし、エアフィルタの交換時の操作性をさらに向上できる。
【０００９】
本発明のプロジェクタでは、前記他方の部材には、前記操作レバーを前記係合位置に向けて付勢する付勢部材が設けられ、前記係合突起部には、前記一方の部材に対向し、前記係合位置側から前記非係合位置側に向うにしたがって前記一方の部材に近接する傾斜面が形成され、前記係合受け部には、前記フィルタカバーが前記保護位置に向けて回動する際に前記傾斜面に当接する当接部が設けられていることが好ましい。
本発明では、フィルタカバーには、操作レバーを係合位置に向けて付勢する付勢部材が設けられている。このことにより、フィルタカバーが保護位置に位置付けられている状態において、付勢部材の付勢力により、操作レバーが係合位置に位置付けられている状態が維持されるため、不用意にフィルタカバーが保護位置から交換位置に回動することがない。
【００１０】
また、係合突起部に傾斜面が形成され、係合受け部に当接部が設けられているので、フィルタカバーを交換位置から保護位置に回動させる際には、操作レバーは、以下に示すように、動作することとなる。
すなわち、フィルタカバーを交換位置に回動させた状態では、付勢部材の付勢力により、操作レバーが係合位置に位置付けられている。この状態で、フィルタカバーを交換位置から保護位置に回動させると、傾斜面が当接部に当接し、さらに、フィルタカバーを外装筐体に向けて押し付けると、付勢部材の付勢力に抗して、当接部上を傾斜面が摺動しつつ操作レバーが非係合位置に向けて移動する。そして、係合突起部が当接部を乗り上げると、付勢部材の付勢力によって、再度、操作レバーが係合位置に移動する。
以上のことから、利用者は、フィルタカバーを保護位置から交換位置に回動させる時にのみ操作レバーを非係合位置に移動させる操作をするだけでよく、フィルタカバーを交換位置から保護位置に回動させる時には操作レバーへの操作を必要としない。このため、フィルタカバーの回動操作をさらに容易とし、エアフィルタの交換時の操作性をさらに一層向上できる。
【００１１】
本発明のプロジェクタでは、前記他方の部材には、前記操作レバーを前記係合位置に向けて付勢する付勢部材が設けられ、前記操作レバーおよび前記他方の部材には、前記フィルタカバーの回動方向に沿って延出し前記操作レバーが前記非係合位置に位置付けられた際に互いに係合する第１係止爪および第２係止爪を有し、前記操作レバーの前記係合位置への移動を係止する係止構造が設けられ、前記一方の部材には、前記他方の部材に向けて突出し、前記フィルタカバーが前記保護位置に向けて回動する際に前記係止構造に当接して前記第１係止爪および前記第２係止爪の係合を解除する係合解除爪が設けられていることが好ましい。
本発明では、フィルタカバーには、付勢部材が設けられているので、上記同様に、不用意にフィルタカバーが保護位置から交換位置に回動することがない。
【００１２】
また、操作レバーおよびフィルタカバーには第１係止爪および第２係止爪を有する係止構造が設けられ、外装筐体には係合解除爪が設けられているので、フィルタカバーを交換位置から保護位置に回動させる際には、操作レバーは、以下に示すように、動作することとなる。
すなわち、フィルタカバーを交換位置に回動させた状態では、利用者による操作レバーを非係合位置に移動させる従前の操作により、第１係止爪および第２係止爪が係合し、付勢部材の付勢力に抗して、操作レバーが非係合位置に位置付けられた状態が維持される。この状態で、フィルタカバーを交換位置から保護位置に回動させると、係合解除爪が係止構造に当接して第１係止爪および第２係止爪の係合を解除し、付勢部材の付勢力によって、再度、操作レバーが係合位置に移動する。
以上のことから、利用者は、上記同様に、フィルタカバーを保護位置から交換位置に回動させる時にのみ操作レバーを非係合位置に移動させる操作をするだけでよく、フィルタカバーの回動操作をさらに容易とし、エアフィルタの交換時の操作性をさらに一層向上できる。
【００１３】
本発明のプロジェクタでは、前記フィルタカバーは、カバー本体と、前記外装筐体に軸支される回動軸、および前記回動軸から直交して延出し先端が前記カバー本体に接続する接続部を有する軸支部とを備え、前記外装筐体には、前記フィルタカバーが前記保護位置に位置付けられている際に前記接続部の少なくとも一部が挿通される規制溝部が設けられていることが好ましい。
本発明では、フィルタカバーを構成する軸支部において、外装筐体に軸支される回動軸は、回動軸から直交して延出する接続部によりカバー本体に接続されている。すなわち、軸支部は、その材料や形状により弾性を有し、回動軸の方向に屈曲可能に構成される。このことにより、例えばプロジェクタの製造時等において、作業者は、外装筐体にフィルタカバーを取り付ける際、回動軸を外装筐体における軸受けにあてがった状態でフィルタカバーを外装筐体に押し付けることで、軸支部を屈曲させながら回動軸を軸受けに軸支させることができる。外装筐体からフィルタカバーを取り外す際も同様である。このため、外装筐体に対するフィルタカバーの着脱を容易に実施できる。
また、外装筐体には規制溝部が設けられているので、フィルタカバーが保護位置に位置付けられている状態では、規制溝部に接続部の少なくとも一部が挿通される。このことにより、フィルタカバーが保護位置に位置付けられている状態で、軸支部が屈曲することを防止でき、すなわち、回動軸が軸受けから外れることを防止でき、不用意にフィルタカバーが外れることを防止できる。
【００１４】
本発明のプロジェクタでは、前記一方の部材には、前記フィルタカバーの回動方向に沿って延びる第２の係合受け部が設けられ、前記操作レバーには、前記係合位置に位置付けられた際に前記第２の係合受け部に係合して前記フィルタカバーの回動方向に直交する方向への移動を規制する第２の係合突起部が設けられていることが好ましい。
本発明では、フィルタカバーには第２の係合受け部が設けられ、操作レバーには第２の係合突起部が設けられているので、フィルタカバーが保護位置に位置付けられている状態（操作レバーが係合位置に位置付けられている状態）において、フィルタカバーの回動方向に直交する方向への移動を規制でき、フィルタカバーが不用意に取り外されることを防止できる。
【発明を実施するための最良の形態】
【００１５】
[第１実施形態]
以下、本発明の第１実施形態を図面に基づいて説明する。
〔プロジェクタの外観構成〕
図１は、第１実施形態におけるプロジェクタ１を前面上方側から見た斜視図である。
図２は、プロジェクタ１の内部構造を模式的に示す図である。
なお、以下で記載する「上」、「下」、「左」、「右」は、図１における図面視において、上下左右に相当するものである。また、以下で記載する「前面」、「背面」は、プロジェクタ１において投射側（投射レンズ３７が配置された側）を前面とし、その反対側を背面とする。
プロジェクタ１は、光源から射出された光束を画像情報に応じて変調して画像光を形成し、形成した画像光をスクリーン（図示略）上に拡大投射するものである。このプロジェクタ１は、図１または図２に示すように、外装を構成する外装筐体２と、光学ユニット３（図２）と、冷却装置４（図２）とで大略構成されている。
【００１６】
外装筐体２は、図１または図２に示すように、略直方体形状を有し、光学ユニット３および冷却装置４を内部に収納する。この外装筐体２は、図１に示すように、アッパーケース２Ａと、ロアーケース２Ｂとを備える。
また、外装筐体２には、図１に示すように、後述するエアフィルタ５を保護するとともに、外装の一部を構成するフィルタカバー６が取り付けられている。
アッパーケース２Ａは、プロジェクタ１の天面、前面、左右両側面の一部、および背面の一部をそれぞれ構成する。
このアッパーケース２Ａにおいて、右側面部（一の側壁部）２１の前面側には、右側面部２１から天面部（他の側壁部）２２にかけて切り欠かれた平面視Ｕ字状の上側切欠部２３が形成されている。
【００１７】
図３は、外装筐体２における右前方側の角部分を拡大した斜視図である。
なお、図３では、エアフィルタ５を交換可能とする交換位置にフィルタカバー６を回動させた状態を示している。
上側切欠部２３の縁部分は、図３に示すように、外装筐体２内部に向けて段落ち形成され、フィルタカバー６が後述する保護位置に位置付けられた際にフィルタカバー６を構成する後述するカバー本体６１の裏面に当接する設置受け部２３１が形成されている。
また、上側切欠部２３における上方側（天面部２２側）には、設置受け部２３１から下方側に段落ち形成され、天面部２２に略平行して延びる係合用凹部２４が形成されている。
この係合用凹部２４は、フィルタカバー６が保護位置に位置付けられた際に、フィルタカバー６に取り付けられた後述する操作レバー７に係合する部分である。
なお、図３では、説明の便宜上、操作レバー７を省略して図示している。この操作レバー７の詳細な構成については、後述する。
また、係合用凹部２４における前後方向の略中央部分には、外部のＰＣ(Personal Computer)等と情報を送受信可能に接続する無線ＬＡＮ(Local Area Network)ユニットＬＵが取り付けられている。
なお、係合用凹部２４の詳細な構成については、後述する。
【００１８】
ロアーケース２Ｂは、プロジェクタ１の底面、左右両側面の一部、および背面の一部をそれぞれ構成する。
このロアーケース２Ｂにおいて、右側面部２１の前面側には、図１または図３に示すように、各ケース２Ａ，２Ｂを組み合わせた際に、上側切欠部２３に連続する下側切欠部２５が形成されている。
この下側切欠部２５の縁部分において、下方側（底面部２６側）には、フィルタカバー６を回動自在に軸支する軸受け部２７が設けられている。
なお、軸受け部２７の詳細な構成については、後述する。
【００１９】
そして、各ケース２Ａ，２Ｂを組み合わせた状態では、設置受け部２３１における右側面部２１側の端縁、係合用凹部２４の端縁、および下側切欠部２５の縁部分により、図３に示すように、平面視略矩形状の吸気孔２８が形成される。
この吸気孔２８は、冷却装置４により外装筐体２外部の空気を内部に導入するための孔である。そして、この吸気孔２８には、図３に示すように、吸気側ダクト２９が嵌め込まれている。
吸気側ダクト２９は、吸気孔２８と略同一の大きさを有する平面視矩形形状を有し、左右方向に延びる筒体で構成されている。そして、吸気側ダクト２９は、冷却装置４と接続し、吸気孔２８から導入された空気を冷却装置４に導く。
【００２０】
図４は、図３の状態からエアフィルタ５を取り外した状態を示す斜視図である。
この吸気側ダクト２９は、エアフィルタ５（図３）を保持する機能も有する。
具体的に、吸気側ダクト２９において、内部には、図４に示すように、筒状軸に略直交して格子状に延びる複数のリブ２９１が形成されている。そして、複数のリブ２９１のうち、前後方向の略中央部分には、上下方向に並設され、エアフィルタ５を保持する一対の保持部２９２が形成されている。
【００２１】
各保持部２９２は、同一の形状を有し、右側に突出する保持爪２９２Ａ，２９２Ｂが上下方向に並設してそれぞれ構成されている。
各保持爪２９２Ａ，２９２Ｂは、互いに離間する方向に屈曲した平面視Ｌ字形状を有している。そして、各保持爪２９２Ａ，２９２Ｂは、その材料や形状により弾性を有し、基端部分を支点として上下方向に屈曲可能に構成されている。
【００２２】
図５は、エアフィルタ５の構成を示す図である。具体的に、図５（Ａ）はエアフィルタ５を表側（右側）から見た斜視図であり、図５（Ｂ）はエアフィルタ５を裏側（左側）から見た斜視図である。
エアフィルタ５は、吸気孔２８から導入される空気に含まれる塵埃を捕捉する。このエアフィルタ５は、図５に示すように、フィルタ本体５１と、フィルタ保持枠５２とを備える。
フィルタ本体５１は、２つで構成され（図５（Ａ））、空気を通過させながら該空気に混入した塵埃を捕捉する。
フィルタ保持枠５２は、略矩形枠形状を有し、枠内側にて２つのフィルタ本体５１を保持する。
【００２３】
このフィルタ保持枠５２において、裏側には、図５（Ｂ）に示すように、枠内側に向けて格子状に延びる複数のリブ５２１が形成されている。そして、２つのフィルタ本体５１は、フィルタ保持枠５２の表側から枠内側に挿入され複数のリブ５２１に当接されることで、フィルタ保持枠５２に保持される。
また、フィルタ保持枠５２において、複数のリブ５２１のうち、吸気側ダクト２９の一対の保持部２９２に対応する各位置には、一対の保持部２９２にそれぞれ係合する一対の係合孔５２２が形成されている。
さらに、フィルタ保持枠５２の表側には、図５（Ａ）に示すように、一対の係合孔５２２の間から突出し、利用者にエアフィルタ５を把持させるための把持部５２３が形成されている。
【００２４】
そして、利用者は、吸気側ダクト２９からエアフィルタ５を取り外す際には、図３に示す状態において、把持部５２３を把持し、吸気側ダクト２９に対して吸気孔２８の開口面に略直交する方向にエアフィルタ５を引き抜くことにより、一対の保持部２９２と一対の係合孔５２２との係合が解除される。
また、利用者は、吸気側ダクト２９にエアフィルタ５を取り付ける際には、図４に示す状態において、把持したエアフィルタ５における一対の係合孔５２２を一対の保持部２９２にあてがう。そして、吸気側ダクト２９に対して吸気孔２８の開口面に略直交する方向にエアフィルタ５を押し付けることにより、係合孔５２２における裏側の周縁部分に形成された斜面により保持爪２９２Ａ，２９２Ｂが互いに近接する方向に屈曲して係合孔５２２内部に挿通され、保持爪２９２Ａ，２９２Ｂの先端部分が係合孔５２２における表側の周縁部分に係止される（図３に示す状態）。
【００２５】
フィルタカバー６は、図１に示すように、上側切欠部２３および下側切欠部２５に対応し、右側面部２１および天面部２２に跨る側面視略Ｌ字形状を有する。そして、フィルタカバー６は、上述した軸受け部２７に対して、エアフィルタ５を保護するための保護位置（図１）、およびエアフィルタ５を交換するための交換位置（図３）に回動自在に軸支される。
なお、フィルタカバー６の詳細な構成については、後述する。
【００２６】
〔光学ユニットの構成〕
光学ユニット３は、制御装置（図示略）により制御の下、画像情報に応じて画像光を形成するものであり、外装筐体２の背面に沿って左側から右側に延出し、さらに前面側に屈曲して延出する平面視略Ｌ字形状を有している。
この光学ユニット３は、図２に示すように、光源ランプ３１１およびリフレクタ３１２を有する光源装置３１と、レンズアレイ３２１，３２２、偏光変換素子３２３、および重畳レンズ３２４を有する照明光学装置３２と、ダイクロイックミラー３３１，３３２、および反射ミラー３３３を有する色分離光学装置３３と、入射側レンズ３４１、リレーレンズ３４３、および反射ミラー３４２，３４４を有するリレー光学装置３４と、光変調装置としての３つの液晶パネル３５１（赤色光側の液晶パネルを３５１Ｒ、緑色光側の液晶パネルを３５１Ｇ、青色光側の液晶パネルを３５１Ｂとする）、３つの入射側偏光板３５２、３つの射出側偏光板３５３、および色合成光学装置としてのクロスダイクロイックプリズム３５４を有する光学装置３５と、光学部品用筐体３６と、投射光学装置としての投射レンズ３７とを有する。
そして、光学ユニット３では、上述した構成により、光源装置３１から射出され照明光学装置３２を介した光束は、色分離光学装置３３にてＲ，Ｇ，Ｂの３つの色光に分離される。また、分離された各色光は、各液晶パネル３５１にて画像情報に応じてそれぞれ変調され、色光毎の画像光が形成される。色光毎の画像光は、クロスダイクロイックプリズム３５４にて合成され、投射レンズ３７にてスクリーン（図示略）に拡大投射される。
なお、上述した各部材３１〜３７については、種々の一般的なプロジェクタの光学系として利用されているため、具体的な説明を省略する。
【００２７】
〔冷却装置の構成〕
冷却装置４は、図２に示すように、投射レンズ３７に近接して配設された冷却ファン４１を有し、吸気孔２８から吸気側ダクト２９を介して導入した空気を冷却対象（例えば、光学装置３５や偏光変換素子３２３等）に送風して冷却する。
【００２８】
〔係合用凹部および軸受け部の構成〕
図６は、係合用凹部２４および軸受け部２７の構成を示す図である。具体的に、図６は、図４と同様にフィルタカバー６を交換位置に回動させ、かつ、エアフィルタ５を吸気側ダクト２９から取り外した状態を示す斜視図である。
なお、図６では、図３および図４と同様に、説明の便宜上、操作レバー７の図示を省略している。
図７は、図６における軸受け部２７を拡大した図である。具体的に、図７（Ａ）は背面側の軸受け部２７を示し、図７（Ｂ）は前面側の軸受け部２７を示している。
係合用凹部２４の上面において、前面側および背面側には、図６に示すように、操作レバー７に係合する第１の係合受け部２４１がそれぞれ形成されている。
各第１の係合受け部２４１は、略同一の形状を有し、右側に延出するとともに、先端部分が背面側に向けて（フィルタカバー６の回動方向に交差する方向に）延出する平面視略Ｌ字形状を有している。
また、第１の係合受け部２４１において、背面側に向けて延出する部位の先端部分には、右側に向けて突出し、フィルタカバー６が保護位置に向けて回動する際に操作レバー７の後述する傾斜面７３１に当接する当接部２４１１が形成されている。
【００２９】
軸受け部２７は、図６または図７に示すように、下側切欠部２５における下方側の縁部分において、前面側および背面側の双方に設けられ、フィルタカバー６の後述する軸支部６２を前後方向から挟持する。
これら各軸受け部２７には、図７に示すように、円孔２７１が形成されている。
そして、各軸受け部２７は、フィルタカバー６における後述する軸支部６２の突起部６３１，６４１が円孔２７１に挿通されることで、フィルタカバー６を回動自在に軸支する。
また、ロアーケース２Ｂにおいて、各軸受け部２７に対して外装筐体２内部側には、上下方向に延出する規制溝部２０がそれぞれ設けられている。
なお、規制溝部２０の具体的な機能については、フィルタカバー６の構成を説明する際に説明する。
【００３０】
〔フィルタカバーの構成〕
図８ないし図１０は、フィルタカバー６の構成を示す図である。具体的に、図８はフィルタカバー６を表側から見た斜視図であり、図９はフィルタカバー６を裏側から見た斜視図であり、図１０はフィルタカバー６を背面側から見た側面図である。また、図８（Ａ）、図９（Ａ）は操作レバー７が後述する係合位置に位置付けられた状態を示し、図８（Ｂ）、図９（Ｂ）は操作レバー７が後述する非係合位置に位置付けられた状態を示している。さらに、図１０（Ａ）はフィルタカバー６が保護位置に位置付けられた状態を示し、図１０（Ｂ）はフィルタカバー６が交換位置に位置付けられた状態を示している。
フィルタカバー６は、図８ないし図１０に示すように、カバー本体６１と、軸支部６２とを備える。
カバー本体６１は、右側面部２１および天面部２２に跨る側面視略Ｌ字形状を有し、エアフィルタ５を保護する。
このカバー本体６１において、右側面部２１には、図８または図９に示すように、吸気孔２８に対応した位置に第１開口部６１１が形成されている。
また、カバー本体６１において、第１開口部６１１の上方側で背面側には、図８に示すように、操作レバー７の一部を外部に露出するための第２開口部６１２が形成されている。
さらに、カバー本体６１には、図９に示すように、裏面の第１開口部６１１の上方側から突出し、後述するコイルバネ７５の一端に当接してコイルバネ７５の移動を規制するバネ規制部６１３が形成されている。
【００３１】
軸支部６２は、図８または図９に示すように、カバー本体６１における下方側の端縁において、前面側および背面側の双方に設けられ、各軸受け部２７に対して軸支される。
これら軸支部６２のうち、前面側に位置する前面側軸支部６３は、図８または図９に示すように、突起部６３１と、接続部６３２と、柱状部６３３とが一体化されたものである。
突起部６３１は、円柱形状を有し、各軸受け部２７のうち前面側に位置する軸受け部２７の円孔２７１に挿通される。
接続部６３２は、突起部６３１に直交して延出する板体形状を有し、突起部６３１およびカバー本体６１に接続する。
この接続部６３２には、左側（ロアーケース２Ｂに近接する側）の端縁から突出する規制用突起部６３２Ａが形成されている。
柱状部６３３は、カバー本体６１の下方側の端縁に沿って延出する円柱形状を有し、突起部６３１および接続部６３２と接続し、前面側軸支部６３を補強する。
【００３２】
また、背面側に位置する背面側軸支部６４は、図８ないし図１０に示すように、回動軸としての突起部６４１と、接続部６４２とを有し、前面側軸支部６３における柱状部６３３が省略された構成と略同様である。
ここで、接続部６４２は、図８または図９に示すように、突起部６４１に直交して延出する板体形状を有し、先端部分がカバー本体６１に接続する。
すなわち、背面側軸支部６４は、その材料や形状により弾性を有し、接続部６４２とカバー本体６１との接続部位を支点として前後方向（突起部６４１の突出方向）に屈曲可能に構成されている。
この接続部６４２には、上述した接続部６３２と同様に、規制用突起部６４２Ａ（図９、図１０）が形成されている。
【００３３】
以上の構成により、例えばプロジェクタ１の製造時等において、作業者は、フィルタカバー６を外装筐体２に取り付ける際には、第１開口部６１１が下方側に向く姿勢（図１０（Ｂ））で、各軸支部６２を各軸受け部２７に押し付けることで、背面側軸支部６４が前面側に屈曲して各軸受け部２７間に軸支部６２が挿通され、各突起部６３１，６４１が各円孔２７１に挿通される。なお、上記の姿勢（図１０（Ｂ））において、上記と逆の操作をすることで、外装筐体２からフィルタカバー６が取り外される。
一方、フィルタカバー６を外装筐体２に取り付けた状態において、フィルタカバー６を保護位置に回動させると、各規制用突起部６４２Ａ，６４２Ｂが各規制溝部２０に挿通される（図７参照）。
すなわち、フィルタカバー６が保護位置に位置付けられている状態では、図１０（Ａ）に示すように、各規制溝部２０にて各規制用突起部６４２Ａ，６４２Ｂの前後方向の移動、すなわち、フィルタカバー６の前後方向の移動が規制され、背面側軸支部６４が屈曲して外装筐体２からフィルタカバー６が取り外されることを防止している。
【００３４】
〔操作レバーの構成〕
図１１は、操作レバー７の構成を示す図である。具体的に、図１１（Ａ）は操作レバー７を表側から見た斜視図であり、図１１（Ｂ）は操作レバー７を裏側から見た斜視図である。
操作レバー７は、図９に示すように、カバー本体６１の裏面に取り付けられ、利用者により外部から操作されることで、各第１の係合受け部２４１に係合する係合位置（図９（Ａ））、各第１の係合受け部２４１との係合が解除された非係合位置（図９（Ｂ））に移動する。
なお、操作レバー７の動作については、後述する。
この操作レバー７は、図９または図１１に示すように、レバー本体７１と、操作部７２と、第１の係合突起部７３と、第２の係合突起部７４とが一体化されたものである。
【００３５】
レバー本体７１は、前後方向に延びる板体形状を有し、カバー本体６１における右側面部２１および天面部２２の角部分の裏面に倣う側面視略Ｌ字形状を有する。
このレバー本体７１において、前面側および背面側には、操作レバー７をカバー本体６１に取り付けるための取付用孔７１１がそれぞれ形成されている。
これら取付用孔７１１は、前後方向に延びるトラック孔として構成されている。このため、操作レバー７は、図９に示すように、各取付用孔７１１を介して各ネジＳｃにてカバー本体６１に取り付けられた状態で、前後方向に移動可能となる。
【００３６】
また、レバー本体７１において、各取付用孔７１１の間には、図９または図１１に示すように、収納用凹部７１２が形成されている。
収納用凹部７１２は、前後方向に延びるように形成され、付勢部材としてのコイルバネ７５を収納するための凹部である。
そして、収納用凹部７１２にコイルバネ７５を収納し、操作レバー７をカバー本体６１に取り付けた状態では、コイルバネ７５の一端がバネ規制部６１３に当接し、他端が収納用凹部７１２における前面側の側壁に当接する。すなわち、上記の状態において、コイルバネ７５は、操作レバー７を前面側（係合位置）に付勢する。
【００３７】
操作部７２は、利用者により外部から操作される部分である。この操作部７２は、図９または図１１に示すように、レバー本体７１の背面側において、下方側の端縁から下方側に向けて延出する平面視矩形形状を有する。
この操作部７２において、右側の端面には、図８または図１１（Ａ）に示すように、右側に向けて膨出し、操作レバー７をフィルタカバー６に取り付けた状態で第２開口部６１２から露出する摘み部７２１が設けられている。
この摘み部７２１は、フィルタカバー６の表側から利用者が操作する部分である。
【００３８】
第１の係合突起部７３は、第１の係合受け部２４１に係合する部分である。この第１の係合突起部７３は、図１１に示すように、レバー本体７１における上方側の端縁において、前面側および背面側の双方にそれぞれ設けられている。
各第１の係合突起部７３は、略同一の形状を有し、左側に向けて（フィルタカバー６の回動方向に沿って）突出するとともに、先端部分が前面側に向けて（フィルタカバー６の回動方向に交差して）突出した平面視略Ｌ字形状を有する。
これら第１の係合突起部７３において、先端部分には、図９または図１１（Ｂ）に示すように、外装筐体２に対向する位置に、前面側から背面側に向う（係合位置側から非係合位置側に向う）にしたがって、外装筐体２に近接する方向（左側）に傾斜した傾斜面７３１がそれぞれ形成されている。
【００３９】
第２の係合突起部７４は、レバー本体７１の前面側の端縁から段落ち形成され、前面側に突出する。
ここで、設置受け部２３１における前面側の部位の端縁には、図６に示すように、天面部２２から右側面部２１にかけて（フィルタカバー６の回動方向に沿って）延び、第２の係合突起部７４の外形形状に対応した凹状の第２の係合受け部２３２が形成されている。
そして、第２の係合突起部７４は、操作レバー７が係合位置に位置付けられた状態で、第２の係合受け部２３２内部に挿通され、外面が第２の係合受け部２３２の内面に当接する。
【００４０】
〔操作レバーの動作〕
次に、上述した操作レバー７の動作について説明する。
先ず、フィルタカバー６が保護位置に位置付けられている状態（図１）では、上述したようにコイルバネ７５の付勢力により、操作レバー７が係合位置に位置付けられている（図９（Ａ））。
上記の状態では、各第１の係合突起部７３の先端部分が各第１の係合受け部２４１におけるＬ字内側に配設され、すなわち、各第１の係合突起部７３と各第１の係合受け部２４１とが係合した状態となる。
また、上記の状態では、第２の係合突起部７４が第２の係合受け部２３２内部に挿通され、すなわち、第２の係合突起部７４と第２の係合受け部２３２とが係合した状態となる。
そして、第１の係合突起部７３と第１の係合受け部２４１との係合により、フィルタカバー６の交換位置への回動が規制される。
また、第２の係合突起部７４と第２の係合受け部２３２との係合により、フィルタカバー６の上方側（フィルタカバー６の回動方向に交差する方向）への移動も規制される。
【００４１】
上記の状態において、利用者は、エアフィルタ５を交換するために、フィルタカバー６を交換位置に回動させる際には、摘み部７２１を背面側に移動させる（図８（Ｂ））。
この状態では、コイルバネ７５の付勢力に抗して操作レバー７が背面側に移動し、操作レバー７が非係合位置に位置付けられる（図９（Ｂ））。
上記の状態では、各第１の係合突起部７３の先端部分は、各第１の係合受け部２４１におけるＬ字内側から背面側に移動し、すなわち、各第１の係合受け部２４１との係合が解除された状態となる。
また、上記の状態では、第２の係合突起部７４は、第２の係合受け部２３２内部から引き出され、すなわち、第２の係合受け部２３２との係合も解除された状態となる。
すなわち、利用者は、上記の状態において、フィルタカバー６の上方側を手で押えながら右側に力を加えることで、フィルタカバー６を回動させることができ、フィルタカバー６を交換位置に位置付けることができる（図３）。
【００４２】
一方、利用者は、フィルタカバー６を交換位置から保護位置に位置付ける際には、摘み部７２１を操作することなく、フィルタカバー６の上方側を手で押えながらフィルタカバー６を保護位置に向けて回動させ、さらに、フィルタカバー６を外装筐体２に押し付ける。
具体的に、利用者が摘み部７２１を操作していない状態、すなわち、摘み部７２１を背面側に移動させていない状態（図８（Ａ））では、上述したように、コイルバネ７５の付勢力により操作レバー７が係合位置に位置付けられている（図９（Ａ））
この状態において、フィルタカバー６を保護位置に向けて回動させると、各第１の係合突起部７３の傾斜面７３１が各第１の係合受け部２４１における当接部２４１１に当接する。傾斜面７３１に当接部２４１１が当接した状態で、フィルタカバー６を外装筐体２に押し付けると、コイルバネ７５の付勢力に抗して当接部２４１１上を傾斜面７３１が摺動しつつ操作レバー７が背面側に移動する。そして、操作レバー７が非係合位置に位置付けられた際に、各第１の係合突起部７３が各当接部２４１１を乗り越え、コイルバネ７５の付勢力により、再度、操作レバー７が前面側に移動して係合位置に位置付けられる。
【００４３】
上述した第１実施形態においては、以下の効果がある。
本実施形態では、プロジェクタ１は、外装筐体２に対して保護位置および交換位置に回動自在に軸支されたフィルタカバー６を備える。このことにより、利用者は、エアフィルタ５を交換する際、外装筐体２からフィルタカバー６を着脱する必要がなく、フィルタカバー６を回動させるだけでよいため、エアフィルタ５の交換時の操作性を向上できる。
特に、フィルタカバー６には操作レバー７が取り付けられているとともに、フィルタカバー６が右側面部２１および天面部２２に跨るように構成されている。このことにより、利用者は、フィルタカバー６を保護位置から交換位置に回動させる際には、操作レバー７を操作して非係合位置に位置付けることで第１の係合突起部７３と第１の係合受け部２４１との係合を解除し、フィルタカバー６を手で掴みながら、フィルタカバー６を回動させることができる。フィルタカバー６を交換位置から保護位置に回動させる際も同様である。このため、フィルタカバー６の回動操作を容易とし、エアフィルタ５の交換時の操作性をさらに向上できる。
【００４４】
また、フィルタカバー６には、操作レバー７を係合位置に向けて付勢するコイルバネ７５が設けられている。このことにより、フィルタカバー６が保護位置に位置付けられている状態において、コイルバネ７５の付勢力により、操作レバー７が係合位置に位置付けられている状態が維持されるため、不用意にフィルタカバー６が保護位置から交換位置に回動することがない。
【００４５】
さらに、第１の係合突起部７３に傾斜面７３１が形成され、第１の係合受け部２４１に当接部２４１１が設けられている。このことにより、利用者は、フィルタカバー６を保護位置から交換位置に回動させる時にのみ操作レバー７を非係合位置に移動させる操作をするだけでよく、フィルタカバー６を交換位置から保護位置に回動させる時には操作レバー７への操作を必要としない。このため、フィルタカバー６の回動操作をさらに容易とし、エアフィルタ５の交換時の操作性をさらに一層向上できる。
【００４６】
また、フィルタカバー６を構成する背面側軸支部６４は、突起部６４１および接続部６４２で構成され、前後方向に屈曲可能に構成されている。このことにより、例えばプロジェクタ１の製造時等において、外装筐体２に対するフィルタカバー６の着脱を容易に実施できる。
さらに、外装筐体２には規制溝部２０が設けられているので、フィルタカバー６が保護位置に位置付けられている状態で、背面側軸支部６４が前後方向に屈曲することを防止でき、すなわち、突起部６４１が円孔２７１から外れることを防止できる。このため、フィルタカバー６が保護位置に位置付けられている状態で、不用意にフィルタカバー６が外れることを防止できる。
【００４７】
また、フィルタカバー６には第２の係合受け部２３２が設けられ、操作レバー７には第２の係合突起部７４が設けられているので、フィルタカバー６が保護位置に位置付けられている状態（操作レバー７が係合位置に位置付けられている状態）において、フィルタカバー６の上方側への移動を規制でき、フィルタカバー６が不用意に取り外されることを防止できる。
特に、上述した規制溝部２０と、第２の係合突起部７４および第２の係合受け部２３２の係合構造とを併用することで、フィルタカバー６が不用意に取り外されることをより確実に防止できる。
【００４８】
[第２実施形態]
次に、本発明の第２実施形態を図面に基づいて説明する。
以下の説明では、前記第１実施形態と同様の構造および同一部材には同一の符号を付して、その詳細な説明は省略または簡略化する。
図１２は、第２実施形態におけるフィルタカバー６および操作レバー７の構成を示す斜視図である。具体的に、図１２は、図９に示す状態に対応する図である。
図１３は、第２実施形態におけるアッパーケース２Ａの構成を示す斜視図である。
なお、図１３では、図３、図４、および図６と同様に、説明の便宜上、操作レバー７の図示を省略している。
本実施形態では、前記第１実施形態に対して、フィルタカバー６および操作レバー７がそれぞれ第１係止爪６１４（図１２）および第２係止爪７６（図１２）を備えるとともに、これに対応してアッパーケース２Ａが係合解除爪２３３（図１３）を備える点が異なるのみである。
その他の構成は前記第１実施形態と同様のものである。
【００４９】
第１係止爪６１４は、図１２に示すように、カバー本体６１における天面部２２の裏面から突出し、左右方向（フィルタカバー６の回動方向）に沿って延出する。
第２係止爪７６は、図１２に示すように、レバー本体７１における上方側の端縁において、各第１の係合突起部７３よりも前面側に位置し、左側に向けて突出する。そして、第２係止爪７６は、その材料や形状により弾性を有し、基端部分を支点として屈曲可能に構成されている。
この第２係止爪７６において、先端部分は、上下方向に延びる爪本体７６１と、爪本体７６１の下方側から背面側に延びる解除部７６２とを有する断面略Ｌ字形状を有する。
そして、利用者により摘み部７２１が操作され、操作レバー７が係合位置（図１２（Ａ））から非係合位置（図１２（Ｂ））に移動する際、第２係止爪７６が屈曲しながら爪本体７６１が第１係止爪６１４を乗り上げて第１係止爪６１４の背面側に位置し、第１係止爪６１４と第２係止爪７６とが係合する。
すなわち、この状態では、第１係止爪６１４と第２係止爪７６との係合により、コイルバネ７５の付勢力に抗して、操作レバー７が非係合位置に位置付けられた状態（図１２（Ｂ））が維持される。
したがって、利用者は、エアフィルタ５を交換するために、フィルタカバー６を保護位置から交換位置に回動させる際には、摘み部７２１を背面側に移動させて、第１係止爪６１４と第２係止爪７６とを係合させた後、フィルタカバー６を回動させることとなる。
【００５０】
係止解除爪２３３は、図１３に示すように、第１係止爪６１４に対応して各第１の係合受け部２４１よりも前面側に位置し、設置受け部２３１における天面部２２の端縁から突出する。
そして、第１係止爪６１４と第２係止爪７６とが係合している状態において、利用者によりフィルタカバー６が交換位置から保護位置に向けて移動されると、係止解除爪２３３は、カバー本体６１の裏面と解除部７６２との隙間に挿通される。また、係止解除爪２３３は、利用者によるフィルタカバー６への押し付け力により、解除部７６２を押し下げて第１係止爪６１４と爪本体７６１との係合を解除する。第１係止爪６１４と爪本体７６１との係合が解除されると、コイルバネ７５の付勢力により、操作レバー７が係合位置に位置付けられる。
すなわち、利用者は、フィルタカバー６を交換位置から保護位置に位置付ける際には、前記第１実施形態と同様に、摘み部７２１を操作することなく、フィルタカバー６の上方側を手で押えながらフィルタカバー６を保護位置に向けて回動させ、さらに、フィルタカバー６を外装筐体２に押し付けることで、フィルタカバー６を保護位置に位置付けることができる。
【００５１】
上述した第２実施形態においては、フィルタカバー６および操作レバー７にそれぞれ第１係止爪６１４および第２係止爪７６を設け、アッパーケース２Ａに係合解除爪２３３を設けた場合であっても、前記第１実施形態と同様の効果を享受できる。
【００５２】
なお、本発明が前述の実施形態に限定されるものではなく、本発明の目的を達成できる範囲での変形、改良等は本発明に含まれるものである。
前記各実施形態では、操作レバー７がフィルタカバー６に取り付けられ、第１の係合受け部２４１が外装筐体２に設けられていたが、これに限らず、操作レバー７が外装筐体２に取り付けられ、第１の係合受け部２４１がフィルタカバー６に設けられていても構わない。コイルバネ７５、第２係止爪７６、第１係止爪６１４、係合解除爪２３３、突起部６３１，６４１、円孔２７１、第２の係合突起部７４、および第２の係合受け部２３２も同様である。
【００５３】
前記各実施形態では、フィルタカバー６は、右側面部２１および天面部２２に跨るように構成されていたが、これに限らず、外装筐体２における一の側壁部と一の側壁部に交差する他の側壁部とに跨るように構成されていればよく、例えば、右側面部２１と前面部や背面部とに跨るように構成しても構わない。
前記各実施形態では、エアフィルタ５が外装筐体２（吸気側ダクト２９）に取り付けられていたが、これに限らず、フィルタカバー６の裏面に取り付けても構わない。
前記各実施形態では、本発明に係る付勢部材として、コイルバネ７５を採用していたが、これに限らず、ゴム等の弾性を有する部材や、板バネ等を採用しても構わない。
前記各実施形態では、前面側軸支部６３と背面側軸支部６４とで構成を異なるものとしていたが、これに限らず、前面側軸支部６３を背面側軸支部６４と同様に構成しても構わない。
前記第２実施形態では、フィルタカバー６および操作レバー７がそれぞれ第１係止爪６１４および第２係止爪７６を備えるとともに、アッパーケース２Ａが係合解除爪２３３を備えるので、同様の機能を有する当接部２４１１および傾斜面７３１については設けなくてもよい。
【００５４】
前記各実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
前記各実施形態では、光入射面と光射出面とが異なる透過型の液晶パネルを用いていたが、光入射面と光射出面とが同一となる反射型の液晶パネルを用いてもよい。
前記各実施形態では、光変調装置として液晶パネルを用いていたが、マイクロミラーを用いたデバイス等、液晶以外の光変調装置を用いてもよい。
【産業上の利用可能性】
【００５５】
本発明のプロジェクタは、エアフィルタの交換時の操作性を向上できるため、プレゼンテーションやホームシアタに用いられるプロジェクタとして利用できる。
【図面の簡単な説明】
【００５６】
【図１】第１実施形態におけるプロジェクタを前面上方側から見た斜視図。
【図２】前記実施形態におけるプロジェクタの内部構造を模式的に示す図。
【図３】前記実施形態における外装筐体における右前方側の角部分を拡大した斜視図。
【図４】図３の状態からエアフィルタを取り外した状態を示す斜視図。
【図５】前記実施形態におけるエアフィルタの構成を示す図。
【図６】前記実施形態における係合用凹部および軸受け部の構成を示す図。
【図７】図６における軸受け部を拡大した図。
【図８】前記実施形態におけるフィルタカバーの構成を示す図。
【図９】前記実施形態におけるフィルタカバーの構成を示す図。
【図１０】前記実施形態におけるフィルタカバーの構成を示す図。
【図１１】前記実施形態における操作レバーの構成を示す図。
【図１２】第２実施形態におけるフィルタカバーおよび操作レバーの構成を示す斜視図。
【図１３】前記実施形態におけるアッパーケースの構成を示す斜視図。
【符号の説明】
【００５７】
１・・・プロジェクタ、２・・・外装筐体、５・・・エアフィルタ、６・・・フィルタカバー、７・・・操作レバー、２０・・・規制溝部、２１・・・右側面部（一の側壁部）、２２・・・天面部（他の側壁部）、２８・・・吸気孔、６１・・・カバー本体、６２・・・軸支部、７３・・・第１の係合突起部、７４・・・第２の係合突起部、７５・・・コイルバネ（付勢部材）、７６・・・第２係止爪、２３２・・・第２の係合受け部、２３３・・・係合解除爪、２４１・・・第１の係合受け部、６１４・・・第１係止爪、６４１・・・突起部（回動軸）、６４２・・・接続部、７３１・・・傾斜面、２４１１・・・当接部。
【図１】
2010122280.tif 000003
【図２】
2010122280.tif 000004
【図３】
2010122280.tif 000005
【図４】
2010122280.tif 000006
【図５】
2010122280.tif 000007
【図６】
2010122280.tif 000008
【図７】
2010122280.tif 000009
【図８】
2010122280.tif 000010
【図９】
2010122280.tif 000011
【図１０】
2010122280.tif 000012
【図１１】
2010122280.tif 000013
【図１２】
2010122280.tif 000014
【図１３】
2010122280.tif 000015